(57)【要約】【課題】部品点数を低減することができて構造も簡素化される上に、スクリーンを上下方向に大型化してもスクリーン布のねじれ現象やぐらつきが生じ難く、十分な支持強度も確保できる折り畳み式スクリーンを提供する。【解決手段】スクリーン布支持用のパンタグラフ機構３は、下部菱形リンク構体４と、一対の梁部材５１，５２を有する逆Ｖ字形補強部５と、下部菱形リンク構体４の伸長動作に連動する上部菱形リンク構体６とを備え、前記下部菱形リンク構体４における上側の左右両側リンク４１ａ，４１ｂの各上端が交差されて該交差点４４で枢支されるとともに、その交差点４４からそれぞれ上方へ延長形成され、これら左右両側の各延長部位は、前記上部菱形リンク構体６における下側の左右両側リンク６１ｃ，６１ｄとしてそれぞれ構成されている。【選択図】図３
2008052112.tif 000002
【特許請求の範囲】
【請求項１】
巻き取り方向の弾性力が付勢されてロール巻きの状態で上面開放の横長ケース内に収容され、使用時に上方へ引き出されるスクリーン布と、該スクリーン布の後側に配置され、上下方向へ伸縮可能なスクリーン布支持用のパンタグラフ機構とを備え、
前記パンタグラフ機構が、前記スクリーン布の巻き取り状態で折り畳まれて前記ケース内に格納され、前記スクリーン布の引き出しに追従してパンタグラフ機構が伸長して該引き出し状態を保持するように構成された折り畳み式スクリーンにおいて、
前記パンタグラフ機構は、
菱形に配設された４本のリンクが枢支・連結されるとともに、上下方向の伸縮と折り畳みが可能に構成され、下端側が前記ケース内に枢支された下部菱形リンク構体と、
逆Ｖ字形に配置されて各上端同士が枢支・連結された一対の梁部材がそれぞれ前記下部菱形リンク構体における下側の左右両側リンクに枢支されるとともに、これら梁部材の各下端が前記ケース内に横移動可能に取り付けられた逆Ｖ字形補強部と、
菱形に配設された４個の短尺リンクが枢支・連結されるとともに、前記下部菱形リンク構体の伸縮動作に連動するように該下部菱形リンク構体の上部側に接続された上部菱形リンク構体と、
を備え、
前記下部菱形リンク構体における上側の左側リンクと上側の右側リンクとは互いに前後方向で異なる平面上に配置され、
前記下部菱形リンク構体における上側の左右両側リンクは、その各上端が交差されて該交差点で枢支されるとともに、該交差点からそれぞれさらに上方へ延長形成され、これら左右両側の各延長部位は、それぞれ前記上側菱形リンク構体における下側の左右両側リンクとして構成され、
前記上部菱形リンク構体における上側の左側リンクと上側の右側リンクとは互いに前後方向で異なる平面上に配置されていることを特徴とする折り畳み式スクリーン。
【発明の詳細な説明】
【技術分野】
【０００１】
この発明は、企業やオフィス、あるいは地域や家庭などで使用されるスライド映写機、フィルム映写機、ビデオ映写機、液晶プロジェクタ、ＯＨＰなどの各種映写機器の映像を映写するために用いられる折り畳み式スクリーンに関する。
【背景技術】
【０００２】
この種のスクリーンとしては、スクリーン布がロール状に巻かれて収容されるケース内にパンタグラフ機構が格納され、このパンタグラフ機構により前記スクリーン布の折り畳みや引き出しを行い得るように構成されたものが知られている。
【０００３】
上記構成の折り畳み式スクリーンにおいて、スクリーンを縦に長くしたい場合には、それに伴ってパンタグラフ機構も大きくなるが、そうするとスクリーン折り畳み時にパンタグラフ機構のリンクがケースの左右両端からはみ出すことになるために、スクリーンを縦に長く設計することは自ずと制約されてしまうという問題があった。
【０００４】
そこで、このような制約を受けることなくスクリーンを縦に長く設計することが可能になるものとして、パンタグラフ機構を上下の２段に構成したものが提案されている。具体的には、菱形に配置された４本のリンクを枢支・連結して上下方向の伸縮と折り畳みが可能に構成し、その下端側を前記ケース内に枢支した下部菱形リンク構体と、この下部菱形リンク部とは前後方向で段違いの平面上に菱形に配設された４本の短尺のリンクを枢支・連結するとともに、前記下部菱形リンク構体の上部に重なる状態で接続した上部菱形リンク構体とでパンタグラフ機構を構成することにより、パンタグラフ機構の横幅寸法を抑えつつ、スクリーンを縦方向に長く（上下方向に長く）設計できるようにした折り畳み式スクリーンが提案されている（特許文献１参照）。
【特許文献１】特開２００５−３４５６６０号公報
【発明の開示】
【発明が解決しようとする課題】
【０００５】
しかしながら、上記従来技術では、下部菱形リンク構体に対して上部菱形リンク構体が別体構成であるから、部品点数が多くなるという問題があった。
【０００６】
また、上部菱形リンク構体は、その下側の左右両側リンクの各枢支部を介して下部菱形リンク構体に連結されているだけであるから、引き出されたスクリーン布の荷重を受けると、前記枢支部でのねじれ現象やぐらつきが生じやすいという問題もあった。
【０００７】
更に、上部菱形リンク構体全体が下部菱形リンク構体の後面側に位置して、該下部菱形リンク構体とは段違状態で配置されているから、側面視では、上部菱形リンク構体の上部とスクリーン布の後面との間に隙間が存在するものとなる。つまり、スクリーン布の荷重に対して、リンク一つ分の厚みに相当する剛性力のみで支持していることになる。このため、スクリーン布を縦方向に長く設計すると、その分増えた大きな荷重に対して、十分対抗できる剛性力が得られず、スクリーン布が前傾気味に変形するのを是正し難いという問題もあった。
【０００８】
この発明は、上記実情に鑑みてなされたものであり、パンタグラフ機構の部品点数を低減することができて構造も簡素化される上に、スクリーン布を上下方向に長く設計してもスクリーン布のねじれ現象やぐらつきが生じ難く、十分な支持強度も確保できる折り畳み式スクリーンを提供することを目的とする。
【課題を解決するための手段】
【０００９】
前記目的を達成するために、本発明は以下の手段を提供する。
［１］巻き取り方向の弾性力が付勢されてロール巻きの状態で上面開放の横長ケース内に収容され、使用時に上方へ引き出されるスクリーン布と、該スクリーン布の後側に配置され、上下方向へ伸縮可能なスクリーン布支持用のパンタグラフ機構とを備え、
前記パンタグラフ機構が、前記スクリーン布の巻き取り状態で折り畳まれて前記ケース内に格納され、前記スクリーン布の引き出しに追従してパンタグラフ機構が伸長して該引き出し状態を保持するように構成された折り畳み式スクリーンにおいて、
前記パンタグラフ機構は、
菱形に配設された４本のリンクが枢支・連結されるとともに、上下方向の伸縮と折り畳みが可能に構成され、下端側が前記ケース内に枢支された下部菱形リンク構体と、
逆Ｖ字形に配置されて各上端同士が枢支・連結された一対の梁部材がそれぞれ前記下部菱形リンク構体における下側の左右両側リンクに枢支されるとともに、これら梁部材の各下端が前記ケース内に横移動可能に取り付けられた逆Ｖ字形補強部と、
菱形に配設された４個の短尺リンクが枢支・連結されるとともに、前記下部菱形リンク構体の伸縮動作に連動するように該下部菱形リンク構体の上部側に接続された上部菱形リンク構体と、
を備え、
前記下部菱形リンク構体における上側の左側リンクと上側の右側リンクとは互いに前後方向で異なる平面上に配置され、
前記下部菱形リンク構体における上側の左右両側リンクは、その各上端が交差されて該交差点で枢支されるとともに、該交差点からそれぞれさらに上方へ延長形成され、これら左右両側の各延長部位は、それぞれ前記上側菱形リンク構体における下側の左右両側リンクとして構成され、
前記上部菱形リンク構体における上側の左側リンクと上側の右側リンクとは互いに前後方向で異なる平面上に配置されていることを特徴とする折り畳み式スクリーン。
【発明の効果】
【００１０】
［１］の発明によれば、スクリーン布を支持するパンタグラフ機構における下部菱形リンク構体の上方に上部菱形リンク構体を接続したから、スクリーン布を上下方向に長く（縦長に）設計できる上、パンタグラフ機構を折り畳んだ格納状態でケースの左右両端からパンタグラフ機構がはみ出すおそれも解消される。
【００１１】
また、下部菱形リンク構体の上側の左右両側リンクをそれぞれ上方へ延長し、その各延長部位を、前記上部菱形リンク構体における下側の左右両側リンクとしてそれぞれ構成したから、部品点数を低減できるし、構造を簡素化することも可能となると共に、このように下部菱形リンク構体の上側の左右両側リンクと上部菱形リンク構体における下側の左右両側リンクとが一体であるので、張設状態でのスクリーン布のねじれやぐらつきが生じ難いものとなる。
【００１２】
更に、上部菱形リンク構体における上側の左側リンクと上側の右側リンクとは互いに前後方向で異なる平面上に配置されており、上部菱形リンク構体の上端部において上側の左右両側リンクが前後方向で重なってリンク２本分の厚さとなり、これによりスクリーンの荷重に十分耐えられる強い剛性力を得ることができる。即ち、十分な支持強度を確保することができて、張設状態においてスクリーン布が前傾気味に変形するのを十分に防止できる。
【００１３】
加えて、仮に上部菱形リンク構体と下部菱形リンク構体との間にねじれ変形が起こりそうになったとしても、パンタグラフ機構の根元付近にねじれ変形が伝わるのが逆Ｖ字形補強部の筋交い機能により十分に抑制されるので、パンタグラフ機構による適正な支持機能が確保される。
【発明を実施するための最良の形態】
【００１４】
以下、この発明の一実施形態を図面に基づいて説明する。
【００１５】
図１および図２は、それぞれこの発明の一実施形態に係る折り畳み式スクリーンを示す背面図および右側面図である。
【００１６】
図１および図２において、この折り畳み式スクリーンは、ケース１と、スクリーン布２と、パンタグラフ機構３と、スクリーン用弾性伸縮部材７，７とを備えている。
【００１７】
前記ケース１は、例えば金属や合成樹脂等で形成された上面開放の横長の容器であり、該ケース１内にスクリーン布２がロール巻きされて収容されている。
【００１８】
前記スクリーン布２には、図示しないスプリングにより、常時巻き取り方向への復帰弾性力が付与されており、前記収容状態でのスクリーン布２の引き出し端を前記弾性力に抗して上方へ引き上げると、該スクリーン布２がケース１から引き出されるようになっている。
【００１９】
前記パンタグラフ機構３は、図３に示すように、下部菱形リンク構体４と、逆Ｖ字形補強部５と、上部菱形リンク構体６とを備えている。
【００２０】
前記下部菱形リンク構体４は、例えば角パイプ等からなる４個のリンク４１ａ，４１ｂ，４１ｃ，４１ｄが菱形の各辺を構成するように配列されてなる。また、前記スクリーン布２の後方から見て、例えば上側の左側リンク４１ａと下側の左右両側リンク４１ｃ，４１ｄが互いにスクリーン布２の後面に近い同一平面上に位置し、上側の右側リンク４１ｂが上記リンク４１ａ，４１ｃ，４１ｄに対して異なる平面（スクリーン布２の後面から離間した平面）に位置して配置されている（図２、３参照）。
【００２１】
前記下部菱形リンク構体４における上側の左側リンク４１ａの下端部と下側の左側リンク４１ｃの上端部とは連結部材４２により枢支・連結されており、また、上側の右側リンク４１ｂの下端部と下側の右側リンク４１ｄの上端部とは連結部材４３により枢支・連結されている。
【００２２】
また、下部菱形リンク構体４における下側の左右両側リンク４１ｃ，４１ｄの各下端部は、前記ケース１の幅方向の中央部の枢支部４５を介して連結・枢支されている。
【００２３】
前記左側の連結部材４２としては、上側の左側リンク４１ａと下側の左側リンク４１ｃとが同一平面上に位置しているから、例えば図４（Ａ）（Ｂ）に示すような連結体４２１，４２２が使用されている。
【００２４】
一方の連結体４２１は、リンク取り付け部４２１ａの先端に、軸孔４２１ｂを有する雄連結片４２１ｃが形成されたものからなり、他方の連結体４２２は、リンク取り付け部４２２ａの先端に、軸孔４２２ｂを有する雌連結片４２２ｃが形成されたものからなる。
【００２５】
前記一方の連結体４２１の雄連結片４２１ｃを他方の連結体４２２の嵌合溝４２２ｄに嵌入した状態で、軸体４２３を軸孔４２１ｂ，４２２ｂに挿入して該軸体４２３にワッシャーを取付固定することにより、両方のリンク取り付け部４２１ａ，４２２ａが同一平面上に位置するものとなる。これにより、上側の左側リンク４１ａと下側の左側リンク４１ｃとが同一平面上で回動可能に枢支・連結されている。
【００２６】
また、前記右側連結部材４３としては、上側の右側リンク４１ｂと下側の右側リンク４１ｄとが段違いの異なる平面上にそれぞれ位置しているから、例えば図５（Ａ）（Ｂ）に示すような連結体４３１，４３２が使用されている。
【００２７】
一方の連結体４３１は、リンク取り付け部４３１ａの先端に、軸孔４３１ｂを有する連結片４３１ｃが形成されたものからなり、他方の連結体４３２も同様に、リンク取り付け部４３２ａの先端に、軸孔４３２ｂを有する連結片４３２ｃが形成されたものからなる。
【００２８】
前記一方の連結体４３１の連結片４３１ｃと他方の連結体４３２の連結片４３２ｃとを介装体４３４を介して軸孔方向で重ねた状態で、軸体４３３を軸孔４３１ｂ，４３２ｂに挿入して該軸体４３３にワッシャーを取付固定することにより、両方のリンク取り付け部４３１ａ，４３２ａが異なる平面上に位置するものとなる。これにより上側の左側リンク４１ｂと下側の左側リンク４１ｄとがそれぞれ異なる平面上で回動可能に枢支・連結されている。
【００２９】
勿論、前記左右の連結部材４２，４３は、上記構成に限定されるものではなく、適宜任意のものを採用可能である。
【００３０】
なお、前記下側の左右両側リンク４１ｃ，４１ｄの各下端部が同一平面上で位置していることから、前記枢支部材４５としては、前記連結部材４２と略同様の構造をもった連結体が用いられている。
【００３１】
前記下部菱形リンク構体４における上側の左右両側リンク４１ａ，４１ｂの各上端部は、交差されてピン４４等で枢支されるとともに、その交差位置からそれぞれ上方へ一定長さだけ延出形成されている（図３参照）。
【００３２】
前記逆Ｖ字補強部５は、例えば角パイプ等からなる一対の梁部材５１，５２を有する。これら梁部材５１，５２が下部菱形リンク構体４とは異なる後側の平面上で逆Ｖ字形に配置されるとともに、それぞれ各中間部が前記下部菱形リンク構体４における下側の左右両側リンク４１ｃ，４１ｄにそれぞれピン５１１，５２１により枢支されている（図３参照）。
【００３３】
更に、前記梁部材５１，５２の各先端同士が連結部材５３により枢支・連結されており、また、前記梁部材５１，５２の各下端に設けられたローラ５４，５５は、ケース１内に設けられたレール部９に対して横（左右方向）移動可能に設置されている。
【００３４】
前記上部菱形リンク構体６は、例えば角パイプ等からなる４個のリンク６１ａ，６１ｂ，６１ｃ，６１ｄが菱形の各辺を構成するように配列されてなる。また、下部菱形リンク構体４の上方側に位置して該下部菱形リンク構体６の伸縮動作に連動するように接続されている。
【００３５】
この上部菱形リンク構体６における下側の左側リンク６１ｃは、前記下部菱形リンク構体４における上側の右側リンク４１ｂの上端延長部位で構成され、また、上部菱形リンク構体６における下側の右側リンク６１ｄは、前記下部菱形リンク構体４における上側の左側リンク４１ａの上端延長部位で構成されている。つまり、この上部菱形リンク構体６における下側の左右両側リンク６１ｃ，６１ｄは、前記下部菱形リンク構体４の上部に一体形成されている。
【００３６】
この上部菱形リンク部構体６における上側の左右両側リンク６１ａ，６１ｂの各下端部は、前記下側の左右両側リンク６１ｃ，６１ｄの各上端部に対して、それぞれ連結部材６２，６３により枢支・連結されており、また、上側の左右両側リンク６１ａ，６１ｂの各上端部同士は、連結部材６４により枢支・連結されている。
【００３７】
前記連結部材６２としては、下側の左側リンク６１ｃと上側の左側リンク６１ａとが同一平面上に位置するから、図４に示す連結部材４２と同様のもの（図示は省略する）が用いられている。また、前記連結部材６３としては、下側の右側リンク６１ｄと上側の右側リンク６１ｂとが同一平面上に位置するから、これも図４に示す連結部材４２と同様のもの（図示は省略する）が用いられている。
【００３８】
また、上部菱形リンク構体６における上端の連結部材６４としては、上側の左右両側リンク６１ａ，６１ｂが段違いの異なる平面上にそれぞれ位置するから（図２、３参照）、図５に示す連結部材４３と同様のもの（図示せず）が用いられている。
【００３９】
前記スクリーン用弾性伸縮部材７，７は、図１に示すように、各下端部が前記ケース１にピン７１１，７１１を介して枢支・連結されており、また各上端部が下部菱形リンク構体４における下側の左右両側リンク４１ｃ，４１ｄの略中央部にピン７１２，７１２を介してそれぞれ枢支・連結されている。
【００４０】
各スクリーン用弾性伸縮部材７は、伸縮パイプ７１を有しており、その内部には、スプリング（図示せず）が収縮状態で組み込まれている。このスプリングによる上方へのばね力により、スクリーン布２の引き上げ操作が容易に行えるようになっている。
【００４１】
なお、図１及び図２において、８は、ケース１の下面に設けられた、床面に安定設置するための設置部材である。
【００４２】
次に、上記構成の折り畳み式スクリーンの使用手順を説明する。
【００４３】
持ち運び時や格納時等の非使用時には、パンタグラフ機構３を図６（Ａ）に示すように偏平状態に折り畳む。
【００４４】
パンタグラフ機構３の折り畳み動作に伴って、スクリーン布２がロール状に巻き取られる。この状態では、パンタグラフ機構３における下部菱形リンク構体４、逆Ｖ字補強部５及び上部菱形リンク構体６、さらには、前記スクリーン用弾性伸縮部材７，７が収縮してケース１内に纏まって収容される。
【００４５】
折り畳み式スクリーンを使用する場合には、ケース１を床などの設置面に設置部材８を介して置いた状態で、スクリーン布２の上端を掴んで引き上げると、ロール巻のスクリーン布２が引き出される。
【００４６】
この時、前記収縮状態のパンタグラフ機構３における上部菱形リンク構体６及び下部菱形リンク構体４が図６（Ｂ）に示すよう伸長しはじめ、さらに図６（Ｃ）に示すように起立するように上方へ伸長される。
【００４７】
一方、逆Ｖ字形補強部５における左右の梁部材５１，５２における枢支部（ピン）５１１，５２１の位置が上昇する一方、一対の梁部材５１，５２の各下端が接近変移するから、該逆Ｖ字形補強部５が鋭角に起立する。これにより、下部菱形リンク構体４における下側の左右両側リンク４１ｃ，４１ｄの動きが同調して円滑に伸長する。
【００４８】
また、この時、弾性伸縮部材７，７により、下側の左右両側リンク４１ｃ，４１ｄが押し上げられるから、上記伸長動作が一層スムーズに行われる。
【００４９】
前記スクリーン布２を最高位置まで引き上げれば、上部菱形リンク構体６及び下部菱形リンク構体４が、図１及び図２に示すように完全に起立するから、スクリーン布２がその引き出し位置に保持されることになる。
【００５０】
ここで、パンタグラフ機構３は、前記下部菱形リンク構体４の上方に上部菱形リンク構体６を接続した２段構成であるから、折り畳み時のパンタグラフ機構３の一部がケース１の左右両端からはみ出すおそれなく、スクリーン布２の最上端レベル位置を高く設定することができる（即ち上下方向に長く設計できる）。
【００５１】
また、上部菱形リンク構体６における下側の左側リンク６１ｃは、前記下部菱形リンク構体４における上側の右側リンク４１ｂの上端延長部位で構成され、また、上部菱形リンク構体６における下側の右側リンク６１ｄは、前記下部菱形リンク構体４における上側の左側リンク４１ａの上端延長部位で構成されているから、上部菱形リンク構体６を別体に構成した従来のものに比して部品点数が削減される上に、構造も簡素化される。
【００５２】
ところで、従来のものでは、前記上部菱形リンク構体の一部が下部菱形リンク構体の上部に前後方向で重なった状態で連結されるから、重なり部分が高さのロスとなり、スクリーン布２の最上端レベル位置をあまり高く設定することができない。これに対して、本願発明では、上部菱形リンク構体６が下部菱形リンク構体４の上方に位置して接続されているから、両リンク構体４，６の重なり部分がなく、これにより高さロスがなくなるから、スクリーン布の上下長さを大きく設定することが可能となる。
【００５３】
更に、上部菱形リンク構体６の下側リンク６１ｃ，６１ｄが下部菱形リンク構体４の上側リンク４１ｂ，４１ａにそれぞれ一体であるから、上部菱形リンク構体６と下部菱形リンク構体４との境界部位において前傾するような変形が起こりにくい。
【００５４】
また、側面視において、上部菱形リンク構体６における上側の左側リンク６１ａと上側の右側リンク６１ｂの２本が前後方向で重なった状態となっているから、剛性力が増し、パンタグラフ機構３の骨組を前傾させようとするスクリーン荷重に十分対抗して支持することができる。これにより、例えば別途補強材等を付設したりしなくても、スクリーン布２の縦方向の長さ（上下長さ）を大きく設定することが十分に可能となる。
【００５５】
また、仮に前記下部菱形リンク構体４の上部側の左右リンク４１ａ，４１ｂの段違いによってねじれ変形が下部菱形リンク構体４におけるＶ字形の下側の左右両側リンク４１ｃ，４１ｄに伝達されようとしても、下部菱形リンク構体４におけるＶ字形の下側の左右両側リンク４１ｃ，４１ｄに対して逆Ｖ字形補強部５による筋交い補強作用が働き、ねじれ変形を効果的に阻止することができる。
【００５６】
このため、下部菱形リンク構体４の下端側にねじれ力が伝達されるのが抑制され、この結果、パンタグラフ機構３全体の前傾変形を抑止できると共に、ねじれ抑制力により前記スクリーン布２の引き出し状態での安定支持状態が確保されるものとなる。
【図面の簡単な説明】
【００５７】
【図１】この発明の一実施形態に係る折り畳み式スクリ−ンを示す背面図である。
【図２】同じく折り畳み式スクリ−ンを示す右側面図である。
【図３】同じく折り畳み式スクリ−ンにおけるパンタグラフ機構を背面側から見た斜視図である（レール部の図示は省略した）。
【図４】（Ａ）は同一平面上に位置するリンク同士を連結・枢支するのに使用する連結部材を示す分解斜視図、（Ｂ）は同じく使用状態の連結部材の側面図である。
【図５】（Ａ）は異なる平面上に位置するリンク同士を連結・枢支するのに使用する連結部材を示す分解斜視図、（Ｂ）は同じく使用状態の連結部材の側面図である。
【図６】折り畳み式スクリ−ンの引き出しに伴うパンタグラフ機構の動作説明図である。
【符号の説明】
【００５８】
１…ケース
２…スクリーン布
３…パンタグラフ機構
４…下部菱形リンク構体
５…逆Ｖ字形補強部
６…上部菱形リンク構体
７…弾性伸縮部材
４１ａ、４１ｂ、４１ｃ、４１ｄ…下部菱形リンク構体のリンク
４４…ピン（交差点枢支部）
４５…パンタグラフ機構の下端枢支部
５１、５２…逆Ｖ字形補強部の梁部材
６１ａ、６１ｂ、６１ｃ、６１ｄ…上部菱形リンク構体のリンク
【図１】
2008052112.tif 000003
【図２】
2008052112.tif 000004
【図３】
2008052112.tif 000005
【図４】
2008052112.tif 000006
【図５】
2008052112.tif 000007
【図６】
2008052112.tif 000008